(57)【要約】【課題】コリメートレンズ設置基準面の位置調整が、極めて簡単な構成で、短時間に、かつ  容易にできること。【解決手段】筐体１０上にコリメートレンズ９を設置するために立設され、側壁部分にレーザー光路に垂直なコリメートレンズ設置基準面２０を有する立壁部１１と、設置されるコリメートレンズ９とコリメートレンズ設置基準面２０との間に介挿されるシート状スペーサ１２とを備えた光ピックアップ装置Ｈ。【選択図】  図３
2010102789.tif 000002
【特許請求の範囲】
【請求項１】
半導体レーザー、コリメートレンズおよび対物レンズを含む光学部品と、この光学部品を搭載し、内部に半導体レーザーからコリメートレンズおよび対物レンズを介して情報記録媒体に至るレーザー光路を形成した筐体とを備え、情報記録媒体に対して、その情報の再生、消去及び記録のうち、少なくともいずれか１つを、レーザー光を用いて行う光ピックアップ装置において、
筐体上にコリメートレンズを設置するために立設され、側壁部分にレーザー光路に垂直なコリメートレンズ設置基準面を有する立壁部と、設置されるコリメートレンズと前記コリメートレンズ設置基準面との間に介挿されるシート状スペーサとを備えたことを特徴とする光ピックアップ装置。
【請求項２】
前記シート状スペーサが、前記立壁部側の表面に、前記コリメートレンズ設置基準面に固着するための粘着材層を有する請求項１に記載の光ピックアップ装置。
【請求項３】
前記シート状スペーサが、その上辺に、更に一体に摘み部を有してなる請求項１または２に記載の光ピックアップ装置。
【請求項４】
前記シート状スペーサが、その上辺に、更に前記立壁部側の表面に粘着材層を有する延長シート状部を一体に有し、
前記摘み部が、この延長シート状部の途中部分から粘着材層側に折り重ねて構成されてなる請求項３に記載の光ピックアップ装置。
【請求項５】
前記延長シート状部の途中部分が、該延長シート状部の両横辺に形成された略Ｖ字形の切欠によって表示されてなる請求項４に記載の光ピックアップ装置。
【請求項６】
前記立壁部が、その底部分に略Ｖ字形または略逆台形の支持部を備え、前記シート状スペーサが、その下辺に、前記支持部に係合する係合部を備えた請求項１〜５のいずれか１つに記載の光ピックアップ装置。
【請求項７】
半導体レーザー、コリメートレンズおよび対物レンズを含む光学部品と、この光学部品を搭載し、内部に半導体レーザーからコリメートレンズおよび対物レンズを介して情報記録媒体に至るレーザー光路を形成した筐体とを備え、情報記録媒体に対して、その情報の再生、消去及び記録のうち、少なくともいずれか１つを、レーザー光を用いて行う光ピックアップ装置において、
筐体上に、側壁部分にレーザー光路に垂直なコリメートレンズ設置基準面を有する立壁部を立設し、該立壁部にコリメートレンズを設置するに際して、コリメートレンズ設置基準面に、レーザー光路長を調整するシート状スペーサを介して、押し当てて固着することを特徴とする光ピックアップ装置の製造方法。
【請求項８】
前記シート状スペーサの上辺に、更に摘み部を一体に形成する請求項７に記載の光ピックアップ装置の製造方法。
【請求項９】
前記摘み部を、前記立壁部側の表面に粘着材層を有する延長シート状部を一体に設け、この延長シート状部の途中部分から粘着材層側に折り重ねて形成する請求項８に記載の光ピックアップ装置の製造方法。
【請求項１０】
前記摘み部を、使用後に除去する請求項８または９に記載の光ピックアップ装置の製造方法。
【発明の詳細な説明】
【技術分野】
【０００１】
本発明は、光ピックアップ装置およびその製造方法に関し、さらに詳しくは、情報記録媒体に対して、その情報の再生、消去及び記録のうち、少なくともいずれか１つを、レーザー光を用いて行う光ピックアップ装置およびその製造方法に関するものである。
【背景技術】
【０００２】
まず、光ピックアップ装置の基本構成を、図を用いて簡単に説明する。
図１は、光ピックアップ装置の基本構成を示す、ピック本体（筐体）の裏側から見た基本構成説明図である。
【０００３】
図１において、光ピックアップ装置の基本構成は、半導体レーザー１、コリメートレンズ２および対物レンズ（図示省略）を含む光学部品と、この光学部品を搭載し、内部に半導体レーザー１からコリメートレンズ２および対物レンズを介して情報記録媒体（図示省略）に至るレーザー光路３を形成した筐体（光ピックアップの本体）１９とを備え、情報記録媒体に対して、その情報の再生、消去及び記録のうち、少なくともいずれか１つを、レーザー光を用いて行う。
【０００４】
次いで、従来のコリメ−トレンズの設置構造を、図を用いて説明する。
図４は、光学系で用いられる従来のコリメートレンズの設置位置を概略説明する、Ａ−Ａ断面図を含む図１相当図である。
図５は、図４でのコリメートレンズの設置構造を説明する説明図であり、（ａ）は厚みが大きいコリメートレンズの正面（左）と側面（右）を、（ｂ）はこのコリメートレンズの設置構造を示す側面を、（ｃ）は厚みが小さいコリメートレンズの正面（左）と側面（右）を、（ｄ）は厚みが小さいコリメートレンズの設置構造を示す図４のＢ−Ｂ断面を、（ｅ）は同じく（ｄ）側面をそれぞれ示す。
【０００５】
図４および５において、コリメートレンズは、（ａ）、（ｂ）のごとく厚みが大きい場合、設置時の光軸方向が安定しやすいので、コリメートレンズ６を、立壁部の底部分に形成した略Ｖ字形（または略逆台形）の支持部７の所定位置に載置し接着剤８で固定するだけで、光軸方向を水平に、かつ光路長を設計値に確保できる。
【０００６】
一方、図５（ｃ）のごとくコリメートレンズ９の厚みが小さい場合は、取付け時の光軸が不安定になるので、図５（ｄ）のごとく光ピックアップ装置の本体（筐体）４に立設された立壁部５のコリメートレンズ設置基準面２０にコリメートレンズ９を押し当てて安定させている。そして、図５（ｅ）のごとくコリメートレンズ９を、立壁部５の底部分に形成した略Ｖ字形（または略逆台形）の支持部７の所定位置に載置し接着剤８で固定する。
【０００７】
ここで、コリメートレンズから出る光束状態が悪い場合（光束が収束方向や拡散方向の場合）、ピックアップ本体（筐体）４に立設された立壁部５のコリメートレンズ設置基準面（壁側）２０の位置を調整している。光束が収束方向の場合は、図１の光路長Ａ＋Ｂが小さくなる様にコリメートレンズ設置基準面（壁側）２０を半導体レーザー１方向へ近づける。
【０００８】
光束が拡散方向の場合は、図１の光路長Ａ＋Ｂが大きくなる様にコリメートレンズ設置基準面（壁側）２０を半導体レーザー１方向より遠くなる様に調整する。コリメートレンズ設置基準面（壁側）２０の位置調整は、具体的には、ピックアップ本体４の成形金型の変更にて対応している。
従って、コリメートレンズ設置基準面の位置調整には、多くの日数と費用が必要であり、しかも位置の微調整が難しく、高度の技術が必要である。また、多くの在庫をかかえている場合は、廃棄処分による損出も大きい。
【０００９】
さらに、この種の装置としては、半導体レーザーからの光ビームを情報記録媒体に収束させる第１の光学系と、情報記録媒体からの反射ビームを受光素子に導く第２の光学系と、半導体レーザーを固定した固定部材に光軸方向に貫通する穴を設け、半導体レーザーから出射する光ビームを集光し第１の光学系に導くために前記穴にコリメートレンズを挿入し、このコリメートレンズを光軸方向に働くバネ力により固定部材に固着した第３の光学系とからなる光ピックアップ装置が提案されている（特許文献１参照）。
【００１０】
そして、この光ピックアップ装置では、固定部材のコリメートレンズ挿入側にネジ部を設け、コリメートレンズの光軸方向の位置調整を、バネ力に抗して調整ネジにより微調可能にしている。
【００１１】
また、半導体レーザーから出射されたビームをディスク及び光検出器に導く光学系を有する光ピックアップ装置において、光学部品を保持するホルダーと、基盤に配され、ホルダーを光軸方向に変位可能に支持する支持手段と、基盤に形成され、光軸方向に少なくとも２個配されたネジ孔と、このネジ孔に螺合されると共に先端部にテーパ部が形成され、螺合時に支持手段に支持されたホルダーの両端にテーパ部が当接する調整ネジとを有する光ピックアップ装置が提案されている（特許文献２参照）。
【００１２】
これらの光ピックアップ装置では、レーザー光路長の調整は、いずれも、調整ネジおよびコイルバネを用いるか、複数の調整ネジを用いた複雑な構成で行われている。
【特許文献１】特開昭６１−２０６９２７号公報
【特許文献２】実開平１−１８１１１９号公報
【発明の開示】
【発明が解決しようとする課題】
【００１３】
そこで、本発明の主要な目的の１つは、レーザー光路長の調整が短時間で容易にできる光ピックアップ装置を提供することである。
本発明のもう１つの目的は、レーザー光路長の調整が簡単な構成で可能な光ピックアップ装置を提供することである。
【課題を解決するための手段】
【００１４】
本発明は、半導体レーザー、コリメートレンズおよび対物レンズを含む光学部品と、この光学部品を搭載し、内部に半導体レーザーからコリメートレンズおよび対物レンズを介して情報記録媒体に至るレーザー光路を形成した筐体とを備え、情報記録媒体に対して、その情報の再生、消去及び記録のうち、少なくともいずれか１つを、レーザー光を用いて行う光ピックアップ装置において、
筐体上にコリメートレンズを設置するために立設され、側壁部分にレーザー光路に垂直なコリメートレンズ設置基準面を有する立壁部と、設置されるコリメートレンズと前記コリメートレンズ設置基準面との間に介挿されるシート状スペーサとを備えたことを特徴とする光ピックアップ装置を提供する。
【００１５】
本発明は、別の観点によれば、半導体レーザー、コリメートレンズおよび対物レンズを含む光学部品と、この光学部品を搭載し、内部に半導体レーザーからコリメートレンズおよび対物レンズを介して情報記録媒体に至るレーザー光路を形成した筐体とを備え、情報記録媒体に対して、その情報の再生、消去及び記録のうち、少なくともいずれか１つを、レーザー光を用いて行う光ピックアップ装置において、
筐体上に、側壁部分にレーザー光路に垂直なコリメートレンズ設置基準面を有する立壁部を立設し、該立壁部にコリメートレンズを設置するに際して、コリメートレンズ設置基準面に、レーザー光路長を調整するシート状スペーサを介して、押し当てて固着することを特徴とする光ピックアップ装置の製造方法を提供できる。
【発明の効果】
【００１６】
本発明に係る光ピックアップ装置によれば、設置されるコリメートレンズとコリメートレンズ設置基準面との間に、シート状スペーサを介挿するので、レーザー光路長の調整が、実質的にシート状スペーサの厚みだけの変更で済み、極めて簡単な構成で、短時間に、かつ容易にできる。
【発明を実施するための最良の形態】
【００１７】
本発明は、半導体レーザー、コリメートレンズおよび対物レンズを含む光学部品と、この光学部品を搭載し、内部に半導体レーザーからコリメートレンズおよび対物レンズを介して情報記録媒体に至るレーザー光路を形成した筐体とを備え、情報記録媒体に対して、その情報の再生、消去及び記録のうち、少なくともいずれか１つを、レーザー光を用いて行う光ピックアップ装置を対象としている。
【００１８】
そして、本発明に係る光ピックアップ装置は、筐体上にコリメートレンズを設置するために立設され、側壁部分にレーザー光路に垂直なコリメートレンズ設置基準面を有する立壁部と、設置されるコリメートレンズと前記コリメートレンズ設置基準面との間に介挿されるシート状スペーサとを備えたことを特徴とする。
【００１９】
本発明において、立壁部は、筐体上にコリメートレンズを設置（支持）するために立設され、通常、筐体上に一体に型形成される。そして、立壁部には、その側壁部分に、レーザー光路に垂直なコリメートレンズ設置基準面を形成し、この基準面とコリメートレンズとの間に、後述するごとくシート状スペーサを介在させ、スペーサの厚みによってレーザー光路長を調整する。
【００２０】
本発明において、シート状スペーサは、その材質を、合成樹脂シート、金属シートなどとし、特に限定されないが、具体的には、約０．０５ｍｍオーダーの厚み調整が可能な、ポリエチレン・テレフタレート樹脂（ＰＥＴ樹脂）シートが挙げられる。
なお、このシート状スペーサは、設置されるコリメートレンズとコリメートレンズ設置基準面との間を、予め大きく設定し、介挿操作が容易になる厚み（例えば、約０．２ｍｍ以上）になるようにするのが好ましい。
【００２１】
さらに、シート状スペーサは、その立壁部側表面に、予め粘着材層を有すると、コリメートレンズ設置基準面への設置（固着）操作が容易になり、好ましい。
また、シート状スペーサは、その上辺に、一体に摘み部を設けると、コリメートレンズ設置基準面への設置操作がさらに容易になり、好ましい。
【００２２】
シート状スペーサは、その上辺に、更に前記立壁部側の表面に粘着材層を有する延長シート状部を一体に有し、摘み部が、この延長シート状部の途中部分から粘着材層側に折り重ねて構成されると、粘着材層に触れないで、かつしっかり摘み部をつまんで操作でき、好ましい。
なお、延長シート状部の途中部分が、該延長シート状部の両横辺に形成された略Ｖ字形の切欠によって表示されると、折り重ね操作が容易である。
【００２３】
本発明において、立壁部は、その底部分に略Ｖ字形または略逆台形の支持部を備え、シート状スペーサが、その下辺に、支持部に係合する係合部を備えると、シート状スペーサを所  定方向に向けることができ、それによってシート状スペーサの、コリメートレンズ設置基準  面全面への面接触が確保できるので、好ましい。
【００２４】
本発明は、さらに別の観点によれば、上記光ピックアップ装置を製造する光ピックアップ装置の製造方法において、
筐体上に、側壁部分にレーザー光路に垂直なコリメートレンズ設置基準面を有する立壁部を立設し、該立壁部にコリメートレンズを設置するに際して、前記コリメートレンズ設置基準面に、レーザー光路長を調整するシート状スペーサを介して、押し当てて固着することを特徴とする。
【００２５】
ここで、シート状スペーサの上辺に、更に延長シート状部を摘み部として一体に設けると、コリメートレンズ設置基準面への設置操作が容易になり、好ましい。また、このような摘み部は、使用後に除去するのが、光ピックアップ装置をコンパクトにまとめることができ、望ましい。
【００２６】
以下、図に示す実施の形態に基づいて本発明を説明する。
＜実施の形態１＞
図１は、光ピックアップ装置の基本構成を示す、ピック本体（筐体）の裏側から見た基本構成説明図である。
図２は、本発明に係る光ピックアップ装置の光学系で用いられるコリメートレンズの設置位置を概略説明する、Ａ−Ａ断面図を含む図１相当図である。
図３はレーザー光路長調整用シートの構成、およびそのシートの取り付けをそれぞれ説明する説明図であり、（Ａ）は調整用シートの折り重ね前の状態を、（Ｂ）は折り重ねる状態変化を、（Ｃ）は装着状態変化を、（Ｄ）は装着状態を、（Ｅ）は図２のＢ―Ｂ断面（左）および取り付け状態の側面（右）をそれぞれ示す。
【００２７】
図１において、光ピックアップ装置Ｈは、半導体レーザー１と、この半導体レーザーからのレーザー光を分割するビームスプリッタ１５と、このビームスプリッタを通過したレーザー光を平行光に変換するコリメータレンズ２と、このコリメータレンズを通過したレーザー光を、ミラー１６を介して受け、上方へ立ち上げる立ち上げミラー１７と、立ち上げられたレーザー光を収束する対物レンズ（図示省略）と、受光素子１８とを含んでいる。なお、１９は筐体（光ピックアップの本体）である。
【００２８】
そして、この対物レンズを通過したレーザー光は、情報記録媒体である光ディスク（図示省略）上の一点で収束し、反射される。次いで、反射光は再び対物レンズを通過して平行光となり、立ち上げミラー１７で反射され、ミラー１６を介してコリメートレンズ２を通過する。そして、通過した反射光は、ビームスプリッタ１５で反射して受光素子１８に至り、光信号から電気信号へと変換され、情報の再生・記録・消去に利用される。
【００２９】
ここで、半導体レーザー１からコリメートレンズ２までの光路長Ａ＋Ｂが、設計値より長い場合、光束が収束方向になるので性能が悪くなる。また、その光路長Ａ＋Ｂが、設計値より短い場合も、光束が拡散方向になるので性能が悪くなる。従って、光路長Ａ＋Ｂは、設計値に合わせる必要がある。
【００３０】
次いで、図２および図３の（Ｅ）において、光ピックアップ装置Ｈは、筐体１０上にコリメートレンズ９を設置するために立設され、側壁部分にレーザー光路に垂直なコリメートレンズ設置基準面２０を有する立壁部１１と、設置されるコリメートレンズ９とコリメートレンズ設置基準面２０との間に介挿されるシート状スペーサ１２とからなり、このスペーサの厚みを変えることによって（例えば、約０．０５ｍｍから約０．２ｍｍに変更）レーザー光路長を調整する調整機構を備えている。
【００３１】
ここで、シート状スペーサ１２の厚みは、光束が収束方向の場合は、図１の光路長Ａ＋Ｂが小さくなる様に小さく調整され、光束が拡散方向の場合は、図１の光路長Ａ＋Ｂが大きくなる様に大きく調整される。
要するに、光ピックアップ装置Ｈのレーザー光路長Ａ＋Ｂは、シート状スペーサ１２の厚みを変えるだけで調整できるわけであり、レーザー光路長の調整が、極めて簡単な構成で、短時間に、かつ容易にできる。もちろん、筐体の再型成形により立壁部１１のコリメートレンズ設置基準面２０の位置を変える必要はない。
【００３２】
さらに詳しく述べれば、立壁部１１は、筐体１０上にコリメートレンズ９を設置（支持）するために立設され、通常、筐体１０上に一体に型形成される。そして、立壁部１１には、その側壁部分に、レーザー光路に垂直なコリメートレンズ設置基準面２０を形成し、この基準面２０とコリメートレンズ９との間に、シート状スペーサ１２を介在させ、このスペーサ１２の厚みによってレーザー光路長を微調整するわけである。
【００３３】
シート状スペーサ１２は、その材質を、具体的には、約０．０５ｍｍオーダーの厚み調整が可能な、ポリエチレン・テレフタレート樹脂（ＰＥＴ樹脂）シートなどが使用でき、さらに金属シートの採用も可能である。
なお、このシート状スペーサは、設置されるコリメートレンズとコリメートレンズ設置基準面との間を、予め大きく設定し、介挿操作が容易になる厚み（例えば、全厚み：約０．２ｍｍ以上）になるようにするのが好ましい。
【００３４】
さらに、シート状スペーサ１２は、その立壁部側表面に、予め粘着材層（例えば、樹脂層、図示省略）を有し、コリメートレンズ設置基準面への設置（固着）操作を容易にしている。
【００３５】
次に、図３（Ａ）、（Ｂ）において、シート状スペーサ１２は、立壁部１１側の表面に粘着材層（図示省略）を有し、さらに、その上辺にも、立壁部１１側の表面に粘着材層（図示省略）を有する延長シート状部１２ａを一体に有する。そして、摘み部１２ｂが、この延長シート状部の途中部分から粘着材層側に折り重ねて構成される。従って、摘み部１２ｂを、粘着材層に触れないで、かつしっかりつまんで操作できる。
【００３６】
なお、図３（Ａ）の（ｂ）はレーザー光路のための孔であり、同じく（ｃ）は，立壁部１１がその底部分に略逆台形の支持部を備えているので、その支持部に係合するシート状スペーサ１２の係合部であり、以下に述べるごとく、シート状スペーサ１２の、コリメートレンズ設置基準面全面への面接触が確保できる。
図３（Ｂ）の（ｄ）は、延長シート状部１２ａの途中部分の両横辺に形成された略Ｖ字形の切欠であり、この切欠によって折り曲げ位置が表示されると、折り重ね操作が容易になる  。
【００３７】
図３（Ｃ）において、立壁部１１は、その底部分に略逆台形の支持部（ｆ）（ｇ）を備えている。そこで、シート状スペーサ１２は、その対応係合部（Ｆ）（Ｇ）を、支持部（ｆ）（ｇ）に係合させ、それによって、シート状スペーサ１２の、立壁部１１側の面を、コリメートレンズ設置基準面に対して平行にする。次いで、シート状スペーサ１２は、コリメートレンズ設置基準面に押し当てられて全面に面接触し、その粘着材層により接合される。
【００３８】
次いで、図３（Ｄ）において、シート状スペーサ１２は、ライン１３にて摘み部１２ｂを主体とする部分がカットされる。このように、シート状スペーサ１２の不要部分が除去されることで、光ピックアップ装置をコンパクトにまとめることができ、望ましい。
続いて、図３（Ｅ）について先に述べたごとく、コリメータレンズ９は、シート状スペーサ１２に押し当てて接着剤８により固着され、レーザー光路長の調整を完了する。
【００３９】
なお、本発明に係る光ピックアップ装置において、以上の説明では、レーザー光路長を調整するために、光学部品として、コリメートレンズの設置位置を実質的に変えることについて述べたが、他の光学部品、例えば、レーザーの設置位置を変える場合でもよい。
【図面の簡単な説明】
【００４０】
【図１】光ピックアップ装置の基本構成を示す、ピック本体（筐体）の裏側から見た基本構成説明図である。
【図２】本発明に係る光ピックアップ装置の光学系で用いられるコリメートレンズの設置位置を概略説明する、Ａ−Ａ断面図を含む図１相当図である。
【図３】レーザー光路長調整用シートの取り付けを説明する説明図であり、（Ａ）は調整用シートの折り重ね前の、（Ｂ）は折り重ねる、（Ｃ）は装着、（Ｄ）は、（Ｅ）は図２のＢＢ断面、側面および取り付け状態の側面をそれぞれ示す。
【図４】光学系で用いられる従来のコリメートレンズの設置位置を概略説明する、Ａ−Ａ断面図を含む図１相当図である。
【００４１】
【図５】図４でのコリメートレンズの設置構造を説明する説明図であり、（ａ）は厚みが大きいコリメートレンズの正面（左）と側面（右）を、（ｂ）はこのコリメートレンズの設置構造を示す側面を、（ｃ）は厚みが小さいコリメートレンズの正面（左）と側面（右）を、（ｄ）は厚みが小さいコリメートレンズの設置構造を示す図４のＢ−Ｂ断面を、（ｅ）は同じく（ｄ）の側面をそれぞれ示す。
【符号の説明】
【００４２】
１      半導体レーザー
２      コリメートレンズ
３      レーザー光路
４      筐体（ピックアップ本体）
５      立壁部
６      コリメートレンズ
７      支持部
８      接着剤
９      コリメートレンズ
１０    筐体（ピックアップ本体）
１１    立壁部
１２    シート状スペーサ
１９    筐体（ピックアップ本体）
２０    コリメートレンズ設置基準面
Ｈ      光ピックアップ装置
ｆ、ｇ  支持部
Ｆ、Ｇ  係合部
【図１】
2010102789.tif 000003
【図２】
2010102789.tif 000004
【図３】
2010102789.tif 000005
【図４】
2010102789.tif 000006
【図５】
2010102789.tif 000007